(57)【要約】【課題】その日内の体重変動をどの程度に留めれば良いかを示す日内目標を利用者が確認することができる体重管理装置を提供し、利用者が日内の体重変動の管理を計画的に行えるようにし、利用者の満足度を向上させる。【解決手段】体重体組成計３を、利用者の体重測定値を荷重検知部３３で取得し、利用者の体重の標準的な日内変動を示す標準日内変動量データ４１を算出し、この標準日内変動量データ４１に基づいて、利用者の起床から就寝までのうち朝に測定した麻体重に対して夜に夜体重を測定する際の目標となる日内目標増減量データ４５を制御部１８で算出する構成にした。【選択図】図５
2010181377.tif 000002
【特許請求の範囲】
【請求項１】
利用者の体重測定値を取得する体重取得手段と、
利用者の体重の標準的な日内変動を示す標準日内変動量を取得する標準日内変動量取得手段と、
前記標準日内変動量に基づいて、利用者の起床から就寝までのうち起床側の第１タイミングで測定した起床側体重測定値に対して就寝側の第２タイミングで就寝側体重測定値を測定する際の目標となる日内目標値を算出する演算手段とを備えた
体重管理装置。
【請求項２】
前記日内目標値を出力する出力手段を備え、
前記演算手段は、
前記体重取得手段により前記起床側体重測定値を取得すると、前記日内目標値を前記出力手段に出力する構成である
請求項１記載の体重管理装置。
【請求項３】
前記起床側体重測定値を記憶する記憶手段を備え、
前記演算手段は、
前記体重取得手段により前記就寝側体重測定値を取得し、該就寝側体重測定値と前記日内目標値と前記起床側体重測定値とに基づいて、日内の目標を達成したか否か判定する目標達成判定処理を実行し、該目標達成判定処理の判定結果を前記出力手段に出力する構成である
請求項２記載の体重管理装置。
【請求項４】
前記演算手段は、
過去に複数日測定した就寝側体重測定値と翌日の起床側体重測定値との差である複数の就寝中体重変動量に基づいて前記標準日内変動量を算出する構成である
請求項１、２または３記載の体重管理装置。
【請求項５】
前記利用者の身体に関する身体情報と該利用者の身体のインピーダンスとに基づく該利用者の基礎代謝量を取得する基礎代謝量取得手段を備え、
前記演算手段は、前記基礎代謝量に基づいて前記標準日内変動量を算出する構成である
請求項１、２、または３記載の体重管理装置。
【請求項６】
前記演算手段は、
前記起床側体重測定値の測定が行われた第１タイミングから所定時間内に体重が再測定され、この再測定された体重測定値が前記起床側体重測定値よりも低い場合、前記起床側体重測定値を再測定された体重測定値に更新する起床側体重測定値更新処理を実行する構成である
請求項１から５のいずれか１つに記載の体重管理装置。
【請求項７】
前記演算手段は、
前記就寝側体重測定値として認定する所定時間内に複数回体重が測定された場合、該所定時間内で最後に測定された体重測定値を前記就寝側体重測定値として採用する就寝側体重測定値決定処理を実行する構成である
請求項１から６のいずれか１つに記載の体重管理装置。
【請求項８】
前記演算手段は、
目標とする体重増減量である長期目標増減量を、該目標を達成するまでの目標日数で除算して日内目標増減量を算出し、
該日内目標増減量と前記標準日内変動量とに基づいて前記日内目標値を定める
請求項１から７のいずれか１つに記載の体重管理装置。
【請求項９】
前記第１タイミングは、利用者の起床から朝食前までとし、
前記第２タイミングは、利用者の夕食後から就寝前までとすることを特徴とする
請求項１から８のいずれか１つに記載の体重管理装置。
【請求項１０】
利用者の体重測定値を取得する体重取得手段と、
情報処理を行う情報処理手段と、
画面の表示を行う表示手段とを備え、
該情報処理手段は、
前記体重取得手段により取得した利用者の体重測定値が、利用者の起床から就寝までのうち起床側の第１タイミングで測定した起床側体重測定値であれば起床側体重表示画面を前記表示手段に表示し、就寝側の第２タイミングで測定した就寝側体重測定値であれば前記起床側体重表示画面と異なる就寝側体重表示画面を前記表示手段に表示する構成である
体重管理装置。
【請求項１１】
利用者の体重測定値を体重取得手段により取得し、
利用者の体重の標準的な日内変動を示す標準日内変動量を標準日内変動量取得手段により取得し、
前記標準日内変動量に基づいて、利用者の起床から就寝までのうち起床側の第１タイミングで測定した起床側体重測定値に対して就寝側の第２タイミングで就寝側体重測定値を測定する際の目標となる日内目標値を演算手段で算出する
体重管理方法。
【請求項１２】
コンピュータを、
利用者の体重測定値を取得する体重取得手段と、
利用者の体重の標準的な日内変動を示す標準日内変動量を取得する標準日内変動量取得手段と、
前記標準日内変動量に基づいて、利用者の起床から就寝までのうち起床側の第１タイミングで測定した起床側体重測定値に対して就寝側の第２タイミングで就寝側体重測定値を測定する際の目標となる日内目標値を算出する演算手段として機能させる
体重管理プログラム。
【発明の詳細な説明】
【技術分野】
【０００１】
この発明は、例えば日内変動する利用者の体重を管理するような体重管理装置、体重管理方法、および体重管理プログラムに関する。
【背景技術】
【０００２】
従来、体重計で体重を測定し、体重が増加しているか減少しているかを確認するといったことが行われている。ここで、体重は、起床から就寝までに増加し、就寝から起床までに減少する日内変動が生じることが知られている。このため、測定時刻が違うと日内変動の影響を受け、体重が増加しているのか減少しているのか正確に解らないという問題が生じる。
【０００３】
この問題に対し、測定体重から日内変動を除去して健康状態を判定する健康状態判定装置が提案されている（特許文献１参照）。この健康状態判定装置は、１日の内に複数回の体重値の測定が行われた過去の複数日における体重値のうち、略同時刻に測定された測定値に基づいて基準値を設定し、該基準値と現在値とを比較して減量傾向にあるかを判断するものである。
【０００４】
また、グラフ表示機能付き生体測定装置も提案されている（特許文献２参照）。この生体測定装置は、過去の体重測定結果を時系列的に表示する際に、利用者が測定結果の履歴を容易に理解できるように工夫したものである。
【０００５】
しかし、いずれの装置も過去の経緯と現状を把握するに留まるものであり、測定結果に基づいて短期的な目標を立てられるようなものではなかった。
【先行技術文献】
【特許文献】
【０００６】
【特許文献１】特開２００５−２１８５８２号公報
【特許文献２】特許第３８１８４８８号公報
【発明の概要】
【発明が解決しようとする課題】
【０００７】
この発明は、上述の問題に鑑み、その日内の体重変動をどの程度に留めれば良いかを示す日内目標を利用者が確認することができる体重管理装置を提供し、利用者が日内の体重変動の管理を計画的に行えるようにし、利用者の満足度を向上させることを目的とする。
【課題を解決するための手段】
【０００８】
この発明は、利用者の体重測定値を取得する体重取得手段と、利用者の体重の標準的な日内変動を示す標準日内変動量を取得する標準日内変動量取得手段と、前記標準日内変動量に基づいて、利用者の起床から就寝までのうち起床側の第１タイミングで測定した起床側体重測定値に対して就寝側の第２タイミングで就寝側体重測定値を測定する際の目標となる日内目標値を算出する演算手段とを備えた体重管理装置であることを特徴とする。
【０００９】
前記体重取得手段は、ロードセルを有する荷重検知部などの荷重検出装置で構成する、あるいは体重測定値データを受信する通信装置で構成するなど、体重を取得する適宜の装置で構成することができる。
【００１０】
前記標準日内変動量は、就寝側体重測定値から起床側体重測定値までの体重変動量に基づく就寝中体重変動量、基礎代謝量から求めた日内変動量、あるいは予め定めた一定値とするなど、適宜の値にすることができる。
【００１１】
前記標準日内変動量取得手段は、夜体重から朝体重までの体重変動量を複数日数分取得してこの複数の体重変動量の平均値を算出する演算手段、利用者の身体情報やインピーダンスから基礎代謝を算出して日内変動量を算出する演算手段、あるいは予め定めた一定値を記憶部から読み出す情報処理手段など、適宜の手段により構成することができる。
【００１２】
前記第１タイミングは、一般的な人が起床する可能性のある時間帯に所定時間を加えた時間内のタイミングとすることができ、好ましくは起床から朝食までの間とすることができる。
【００１３】
前記第２タイミングは、前記第１タイミング以外のタイミング、あるいは一般的な人が就寝する可能性のある時間帯に所定時間を加えた時間内に測定されたタイミングとすることができ、好ましくは夕食から就寝までの間とすることができる。
【００１４】
前記日内目標値は、就寝時の目標体重値、あるいは起床時の体重と就寝時の体重との差分の目標値など、１日の中で起床時の体重に対して就寝時の体重をどの程度の測定値とすれば良いかを認識できる値とすることができる。
【００１５】
前記体重管理装置は、体重測定を行う体重計で構成する、体重と体組成を測定する体重体組成計で構成する、あるいは体重計や体重体組成計から情報を取得する情報処理装置で構成することができる。情報処理装置は、パーソナルコンピュータ、ＰＤＡ（Personal Digital Assistants）、あるいは携帯電話機など、情報処理を行う携帯型や卓上型の装置で構成することができる。
【００１６】
この発明により、日内の体重変動をどの程度に留めれば良いかを示す日内目標を利用者に確認させることが可能になる。従って、利用者は、日内の体重変動の管理を計画的に行うことができる。
【００１７】
この発明の態様として、前記日内目標値を出力する出力手段を備え、前記演算手段は、前記体重取得手段により前記起床側体重測定値を取得すると、前記日内目標値を前記出力手段に出力する構成とすることができる。
【００１８】
前記出力手段は、文字や数字や図などの画像を表示する表示装置、発光するＬＥＤやランプなどの発光装置、あるいはデータを送信する通信装置など、日内目標値を出力する手段により構成することができる。  
この態様により、日内目標値を出力することができる。
【００１９】
またこの発明の態様として、前記起床側体重測定値を記憶する記憶手段を備え、前記演算手段は、前記体重取得手段により前記就寝側体重測定値を取得し、該就寝側体重測定値と前記日内目標値と前記起床側体重測定値とに基づいて、日内の目標を達成したか否か判定する目標達成判定処理を実行し、該目標達成判定処理の判定結果を前記出力手段に出力する構成とすることができる。
【００２０】
前記目標達成判定処理は、体重を増加させる方向の判定であれば目標値以上の増加ができたか否か判定する、体重を減少させる方向の判定であれば目標値以上の減少ができたか否か判定する、体重を維持する方向の判定であれば目標値と同一あるいは目標値から所定範囲内であるか否かを判定するなど、目標達成に関する判定処理で構成することができる。
【００２１】
前記判定結果は、達成できたか否かの結果、達成度がどの程度であるかの結果など、適宜の結果で構成することができる。  
この態様により、利用者に目標を達成できたか否か明確に認識させることができる。
【００２２】
またこの発明の態様として、前記演算手段は、過去に複数日測定した就寝側体重測定値と翌日の起床側体重測定値との差である複数の就寝中体重変動量に基づいて前記標準日内変動量を算出する構成とすることができる。
【００２３】
前記就寝中体重変動量は、複数の就寝中体重変動量の平均値、中央値、あるいは最頻値とするなど、複数の就寝中体重変動量に基づいて算出することができる。この算出は、測定毎に直近から所定個数（例えば一週間分や二週間分など）の就寝中体重変動量を用いて行う、あるいは全ての就寝中体重変動量を用いて行うことができる。
【００２４】
この態様により、実際に測定した利用者の体重変動に基づいて標準日内変動量を算出することができる。特に、就寝中の体重変動を利用して準日内変動量を算出するため、体重が増加傾向や減少傾向にあっても、この影響を受けずに標準日内変動量を求めることができる。すなわち、仮に起床側体重測定値からその日の就寝側体重測定値までの体重変動量を用いて算出すると、体重が増加傾向にある場合であれば、本来の日内変動量よりも体重増加分だけ大きな変動量を標準日内変動量としてしまうことになるが、体重の増減傾向に影響されない就寝中の体重変動を用いることでこれを防止できる。
【００２５】
またこの発明の態様として、前記利用者の身体に関する身体情報と該利用者の身体のインピーダンスとに基づく該利用者の基礎代謝量を取得する基礎代謝量取得手段を備え、前記演算手段は、前記基礎代謝量に基づいて前記標準日内変動量を算出する構成とすることができる。
【００２６】
前記基礎代謝量取得手段は、利用者の身体に関する身体情報を取得する身体情報取得手段と、該利用者の身体のインピーダンスを取得するインピーダンス取得手段と、該身体情報とインピーダンスとに基づいて該利用者の基礎代謝量を算出する演算手段とで構成する、あるいは、基礎代謝量情報を受信する通信手段で構成するなど、適宜の手段で構成することができる。
【００２７】
前記身体情報は、利用者の性別、年齢、および身長、あるいはこれらと体重で構成することができる。  
前記身体情報取得手段は、利用者の操作入力を受け付ける操作入力手段、身体情報を受信する通信手段、体重などを測定する測定手段、あるいはこれらの複数で構成することができる。
【００２８】
前記インピーダンス取得手段は、電極から利用者に電流を流してインピーダンスを検知するインピーダンス検知手段など、インピーダンスを取得する手段で構成することができる。
【００２９】
この態様により、基礎代謝量に基づいて標準日内変動量を算出することができる。従って、体重が増加傾向や減少傾向にあっても、この影響を受けずに標準日内変動量を求めることができる。
【００３０】
またこの発明の態様として、前記演算手段は、前記起床側体重測定値の測定が行われた第１タイミングから所定時間内に体重が再測定され、この再測定された体重測定値が前記起床側体重測定値よりも低い場合、前記起床側体重測定値を再測定された体重測定値に更新する起床側体重測定値更新処理を実行する構成とすることができる。
【００３１】
前記第１タイミングから所定時間は、例えば３０分あるいは１時間とするなど、適宜定めた時間とすることができる。この所定時間は、運動によって体重減となる可能性が低い時間に設定することが好ましい。
【００３２】
前記起床側体重測定値更新処理は、既に記憶されている起床側体重測定値を再測定された体重測定値に上書き更新する処理、あるいは、既に記憶されている起床側体重測定値と再測定された体重測定値の両方を記憶しておき再測定された体重測定値の方に起床側体重測定値であることを示すフラグあるいは情報を付与しておく処理など、最終的な起床側体重測定値を認識できるように記憶する処理で構成することができる。
【００３３】
この態様により、利用者が起床側体重の測定後に用便して再測定した場合に、用便によって減少した体重を起床側体重測定値とすることができる。従って、用便後の体重を起床側体重測定値とすることができ、起床側体重測定値を安定化することができる。また、更新可能な再測定を所定時間に限っているため、測定後に運動等を行って体重減少してから再測定される可能性を減少することができる。
【００３４】
またこの発明の態様として、前記演算手段は、前記就寝側体重測定値として認定する所定時間内に複数回体重が測定された場合、該所定時間内で最後に測定された体重測定値を前記就寝側体重測定値として採用する就寝側体重測定値決定処理を実行する構成とすることができる。
【００３５】
前記就寝側体重測定値として認定する所定時間は、起床側体重測定値として認識する時間範囲以外の時間とする、夕食後と想定できる時間とするなど、適宜定めることができる。この所定時間は、起床側体重測定値として認識する時間範囲と重ならない時間にすることが好ましい。
【００３６】
前記就寝側体重測定値決定処理は、既に記憶されている就寝側体重測定値を再測定された体重測定値に上書き更新する処理、あるいは、既に記憶されている就寝側体重測定値と再測定された体重測定値の両方を記憶しておき再測定された体重測定値の方に就寝側体重測定値であることを示すフラグあるいは情報を付与しておく処理など、最終的な就寝側体重測定値を認識できるように記憶する処理で構成することができる。
【００３７】
この態様により、利用者が１日の間に複数回の体重測定を行っても、就寝前の最終の体重測定値を就寝側体重測定値とすることができる。従って、利用者は就寝側体重測定値として記憶されることを意識せずにいつでも体重測定を行うことができ、利便性を損なわずに利用することができる。
【００３８】
またこの発明の態様として、前記演算手段は、目標とする体重増減量である長期目標増減量を、該目標を達成するまでの目標日数で除算して日内目標増減量を算出し、該日内目標増減量と前記標準日内変動量とに基づいて前記日内目標値を定めることができる。
【００３９】
前記長期目標増減量は、操作入力手段によって入力された増減量とする、あるいは予め定めた増減量とすることができる。操作入力手段による入力は、数値入力、あるいは複数候補からの選択入力など、適宜の方法によって受け付けることができる。
【００４０】
前記目標日数は、操作入力手段によって入力された日数とする、あるいは予め定めた日数とすることができる。操作入力手段による入力は、数値入力、あるいは複数候補からの選択入力など、適宜の方法によって受け付けることができる。
【００４１】
この態様により、利用者は、長期的な増減目標を立て、この長期的な増減目標を達成するために１日の体重増減量をどの程度にすれば良いかを把握することができる。従って、例えばダイエットをする場合に、一日単位で目標の達成／不達成を認識して体重管理でき、長期目標を達成できるように細かく体重管理することができる。
【００４２】
またこの発明の態様として、前記第１タイミングは、利用者の起床から朝食前までとし、前記第２タイミングは、利用者の夕食後から就寝前までとすることを特徴とすることができる。
【００４３】
これにより、起床側体重測定値と就寝側体重測定値とを安定して精度よく取得することができる。なお、これを解りやすくするため、入力装置や表示装置を利用し、起床後朝食前の測定、夕食後就寝前の測定などを選択入力できるように構成してもよい。
【００４４】
またこの発明は、利用者の体重測定値を取得する体重取得手段と、情報処理を行う情報処理手段と、画面の表示を行う表示手段とを備え、該情報処理手段は、前記体重取得手段により取得した利用者の体重測定値が、利用者の起床から就寝までのうち起床側の第１タイミングで測定した起床側体重測定値であれば起床側体重表示画面を前記表示手段に表示し、就寝側の第２タイミングで測定した就寝側体重測定値であれば前記起床側体重表示画面と異なる就寝側体重表示画面を前記表示手段に表示する構成である体重管理装置とすることができる。
【００４５】
前記情報処理手段は、利用者の体重測定値の測定タイミングを判定するタイミング判定処理を実行する構成とすることができる。このタイミング判定処理は、前記第１タイミングか第２タイミングかの２者択一の判定をする構成とする、あるいは第１タイミングか第２タイミングかそれ以外のタイミングかを判定する構成とすることができる。
【００４６】
前記起床側体重表示画面は、次の（１）から（７）までのいずれか１つを含む構成にすることができる。  
（１）当日の第１タイミングの測定体重値と、当日の第２タイミングの目標体重値。  
（２）当日の第１タイミングの測定体重値と、当日の起床時から就寝時までの体重の差分の目標値。  
（３）当日の第１タイミングの測定体重値と、前日の第１タイミングの測定体重値。  
（４）当日の第１タイミングの測定体重値と、前日の第２タイミングから当日の第１タイミングまでの体重減少値。  
（５）当日の第１タイミングの測定体重値と、前日の第２タイミングから当日の第１タイミングまでの体重減少値と、前日の第１タイミングから前日の第２タイミングまでの体重増加値。  
（６）当日の第１タイミングの測定体重値と、前日の第２タイミングから当日の第１タイミングまでの体重減少値と、当日の第１タイミングから第２タイミングまでの体重の差分の目標値。  
（７）第１タイミングの測定体重値と第２タイミングの測定体重値の増減傾向を示すグラフ（折れ線グラフや棒グラフ等）あるいはメータ。
【００４７】
前記就寝側体重表示画面は、次の（１）から（７）までのいずれか１つを含む構成にすることができる。  
（１）当日の第２タイミングの測定体重値と、当日の第１タイミングの測定値体重。  
（２）当日の第２タイミングの測定体重値と、当日の目標を達成したか否かを示す達成確認表示（達成確認表示は、グラフやメータ、あるいは達成可否表示など、適宜の表示とすることができる）。  
（３）当日の第２タイミングの測定体重値と、前日の第２タイミングの測定体重値。  
（４）当日の第２タイミングの測定体重値と、当日の第１タイミングから当日の第２タイミングまでの体重増加値。  
（５）当日の第２タイミングの測定体重値と、当日の第１タイミングから当日の第２タイミングまでの体重増加値と、前日の第２タイミングから当日の第１タイミングまでの体重減少値。  
（６）当日の第２タイミングの測定体重値と、当日の第１タイミングから当日の第２タイミングまでの体重増加値と、当日の目標を達成したか否かを示す達成確認表示。  
（７）第１タイミングの測定体重値と第２タイミングの測定体重値の増減傾向を示すグラフ（折れ線グラフや棒グラフ等）あるいはメータ。
【００４８】
この発明により、利用者は、起床側の第１タイミングの体重測定値に当日の目標を確認し、就寝側の第２タイミングの体重測定値に目標達成できたか否かを明瞭に確認することができる。特に、このように測定タイミングによって表示内容を異ならせることで、日内変動により短期間の体重増減傾向を把握し難い生体の体重管理について、体重増減傾向を明瞭に示して体重管理の利便性を向上させることができる。また、前記起床側体重表示画面や就寝側体重表示画面の各表示内容によって、利用者は、前日の測定体重値との適切な比較、当日内での測定体重値の比較、目標の認識、あるいは目標達成したか否かの確認等を行うことができる。
【００４９】
またこの発明は、利用者の体重測定値を体重取得手段により取得し、利用者の体重の標準的な日内変動を示す標準日内変動量を標準日内変動量取得手段により取得し、前記標準日内変動量に基づいて、利用者の起床から就寝までのうち起床側の第１タイミングで測定した起床側体重測定値に対して就寝側の第２タイミングで就寝側体重測定値を測定する際の目標となる日内目標値を演算手段で算出する体重管理方法とすることができる。
【００５０】
これにより、日内の体重変動をどの程度に留めれば良いかを示す日内目標を利用者に確認させることが可能になる。従って、利用者は、日内の体重変動の管理を計画的に行うことができる。
【００５１】
またこの発明は、コンピュータを、利用者の体重測定値を取得する体重取得手段と、利用者の体重の標準的な日内変動を示す標準日内変動量を取得する標準日内変動量取得手段と、前記標準日内変動量に基づいて、利用者の起床から就寝までのうち起床側の第１タイミングで測定した起床側体重測定値に対して就寝側の第２タイミングで就寝側体重測定値を測定する際の目標となる日内目標値を算出する演算手段として機能させる体重管理プログラムとすることができる。
【００５２】
これにより、体重管理プログラムをコンピュータにインストールするだけで、日内の体重変動をどの程度に留めれば良いかを示す日内目標を利用者に確認させることが可能になる。従って、利用者は、日内の体重変動の管理を計画的に行うことができる。
【発明の効果】
【００５３】
この発明により、利用者は、その日内の増加体重をどの程度に留めれば良いかを示す日内目標を確認することができ、日内の体重変動の管理を計画的に行うことができる。これにより、利用者の満足度を向上させることができる。
【図面の簡単な説明】
【００５４】
【図１】体組成計の外観を示す斜視図。
【図２】体組成計とサーバとの構成を示すブロック図。
【図３】記憶部に記憶する各種データの構成図。
【図４】体組成計の制御部が実行する動作を示すフローチャート。
【図５】記憶・分析処理の動作を示すフローチャート。
【図６】表示部に表示する画面を説明する表示画面説明図。
【図７】体重の日内変動を説明する説明図。
【発明を実施するための形態】
【００５５】
この発明の一実施形態を以下図面と共に説明する。  
【実施例】
【００５６】
この実施例では、体重だけでなく体脂肪率も測定することができる体組成計の例で説明する。  
図１は、体重体組成計３の外観を示す斜視図であり、図２は、体重体組成計３と、該体重体組成計３と通信可能なサーバ５とで構成する体重管理システム１の構成を示すブロック図である。
【００５７】
体重体組成計３は、図１に示すように、利用者が手で持つ第１の筐体である表示操作部１０、利用者が乗る第２の筐体である体重測定部３０とで主に構成されている。
【００５８】
表示操作部１０は、図２に示すように通信部１１、記憶部１２、計時部１３、操作部１４、表示部１５、定電流回路部１６、電源部１７、制御部１８、二重積分ＡＤ部１９、インピーダンス検知部２０、および電極部２１が設けられている。
【００５９】
通信部１１は、制御部１８に接続されており、該制御部１８の制御信号に従ってサーバ５と通信を行う。なお、この通信部１１は、サーバ５に限らず、歩数計などの他の生体情報取得装置と通信する、あるいはパーソナルコンピュータや携帯情報端末（ＰＤＡあるいは携帯電話機等）と通信するなど、適宜の装置と通信する構成にしてもよい。
【００６０】
記憶部１２は、不揮発性のメモリやハードディスクなどの情報を記憶できる装置で構成されており、接続された制御部１８の制御信号に従って情報の読み出しや書き込みを行う。
【００６１】
計時部１３（計時手段）は、現在日時などの時刻を計時する装置であり、必要に応じて時刻を制御部１８へ送る。  
操作部１４は、押下操作される複数のボタン（図１参照）により構成されており、性別、年齢、身長、体重といった利用者の身体情報の入力など、利用者に押下操作された入力情報を制御部１８へ送る。
【００６２】
表示部１５は、液晶画面（図１参照）などの表示装置によって構成され、制御部１８から送られる画像信号に従って文字や図形といった画像を表示する。  
定電流回路部１６は、制御部１８の制御に基づいて、電源部１７から供給される高周波（交流）電流を電流印加用の電極部２１に一方向に流す。
【００６３】
電源部１７は、制御部１８を含め各部に動作電力を供給する。  
制御部１８は、ＣＰＵとＲＯＭとＲＡＭあるいはマイコン（マイクロコンピュータ）により構成されており、ＲＯＭ等に記憶されているプログラムに従って各部の制御動作や演算動作を実行する。このプログラムとしては、体重管理プログラムの記憶されている。
【００６４】
二重積分ＡＤ部１９は、二重積分型のＡＤ（アナログ／デジタル）変換部であり、インピーダンス検知部２０から供給されるアナログ信号をデジタル信号に変換する。
【００６５】
インピーダンス検知部２０は、体重測定部３０に設けられている電極部３６と表示操作部１０に設けられている電極部２１との電位差に基づいて利用者のインピーダンスを検出する。
【００６６】
電極部２１は、利用者が手で持つ表示操作部１０のグリップ部分（図１参照）の表面に設けられており、グリップ部分を握っている利用者の手のひらへ電源部１７から供給される高周波（交流）電流を印加する。
【００６７】
体重測定部３０は、操作部３１、電池３２、荷重検知部３３、および電極部３６により構成されている。  
操作部３１は、電源のＯＮ／ＯＦＦを切り替えるための入力スイッチとして機能し、入力された入力信号を制御部１８へ送る。
【００６８】
電池３２は、電源部１７を中心に各部へ電力供給を行う。  
荷重検知部３３は、ロードセル３４を内蔵しており、筐体の上面カバーを兼ね備える上面カバー部３５（図１参照）の上に乗った利用者の体重を測定する。このとき測定した体重は、二重積分ＡＤ部１９へ送られる。
【００６９】
電極部３６は、利用者が上に乗る体重測定部３０の上面部分（図１参照）の表面に設けられており、利用者の足裏から流れてくる電流を受け取る電流測定用の電極である。この電極部３６は、利用者の左足指側、左足踵側、右足指側、右足踵側の４つの電極により構成されている。
【００７０】
サーバ５は、通信部５１、制御部５２、操作部５３、表示部５４、および記憶部５５により構成されている。  
通信部５１は、制御部５２の制御に従って体重体組成計３とデータの送受信を行う。  
制御部５２は、ＣＰＵとＲＯＭとＲＡＭにより構成されており、ＲＯＭ等に記憶されているプログラムに従って各部の制御動作や演算動作を実行する。
【００７１】
操作部５３は、キーボードやマウスといった操作入力装置で構成されており、操作入力された入力信号を制御部５２へ送る。  
表示部５４は、液晶ディスプレイやＣＲＴディスプレイといった表示装置で構成されており、制御部５２の制御信号に従って表示を行う。
【００７２】
記憶部５５は、ハードディスクなどの記憶装置により構成され、体重体組成計３で測定した体組成データ（体脂肪データや体重データ）、および利用者の氏名や住所といった個人情報など、利用者に関する種々のデータが記憶されている。  
このように構成された体重体組成計３とサーバ５とによって体重管理システム１が構成されている。
【００７３】
図３は、記憶部１２に記憶する各種データの構成図である。  
図３（Ａ）に示す測定データ４０は、測定体重を測定日時と共に記憶する。この測定データ４０には、朝（起床側）に測定された朝体重か夜（就寝側）に測定された夜体重かを示す朝夜フラグも共に記憶する。測定データ４０としては、１週間分や２週間分を記憶できるように構成すればよく、さらに長期間記憶できるように構成してもよい。
【００７４】
図３（Ｂ）に示す標準日内変動量データ４１は、利用者の標準的な日内変動量を記憶する。この標準日内変動量は、過去の測定データ４０（１週間分あるいは２週間分）を基に算出する。この算出は、次のように算出すると良い。
【００７５】
すなわち、夜体重から翌日の朝体重を減算することで、就寝中に変動した体重を示す就寝中体重変動量を算出し、この就寝中体重変動量を複数日分算出してその平均値を算出し、該平均値を標準日内変動量とすることができる。
【００７６】
ここで、日内とは、利用者の起床から就寝までを一日として設定する。従って、厳密には２４時を過ぎてから利用者が夜体重を測定して就寝する場合でも、翌日の夜体重とはせずに同日内の夜体重として取り扱うことが好ましい。
【００７７】
なお、標準日内変動量を算出する他の方法として、インピーダンス検知部２０で検出する利用者のインピーダンスから求めた基礎代謝量を利用することができる。この場合、検出したインピーダンスと、記憶部１２に適宜記憶する利用者の身長、年齢、性別と、荷重検知部３３により検出した体重をもとに、公知の方法によって基礎代謝量などの体組成を算出する。このとき算出する体組成は、基礎代謝量に限らず、体脂肪率、ＢＭＩ、内臓脂肪レベル、骨格筋率、および、体年齢などを含めてもよい。この算出した基礎代謝量に基づいて、就寝中にカロリー消費して体重変動する就寝中体重変動量を公知の手法により算出することができ、この寝中体重変動量を標準日内変動量とすることができる。
【００７８】
これらの方法により標準日内変動量を算出すれば、利用者の体重が増加傾向や減少傾向にある場合でも、体重の増減がなく安定している状態と仮定した標準日内変動量を求めることができる。
【００７９】
なお、標準日内変動量は、予め定められた一般人の日内変動量に固定しておく簡潔な構成にすることも可能である。
【００８０】
図３（Ｃ）に示す目標設定日データ４２は、体重増減の目標を利用者が操作部１４で入力設定した年月日を記憶する。
【００８１】
図３（Ｄ）に示す長期目標増減量データ４３は、利用者に操作部１４で入力設定された体重増減量の目標値を記憶する。例えばダイエットで減量したい場合であればマイナス値が入力設定され、体重維持したい場合であれば０が入力設定され、体重を増量したい場合であればプラス値が入力設定される。
【００８２】
図３（Ｆ）に示す目標達成期間データ４４は、利用者が操作部１４で入力設定した目標達成期間を記憶する。目標達成期間は、長期目標増減量の達成をどれくらいの期間で実現したいかを示す期間である。この目標達成期間が入力設定されるとき、長期目標増減量を目標達成期間の日数で除算した一日のノルマとなる日内増減量が所定の範囲内に収まるか否か適正判定を実行するとよい。そして、適正判定で所定範囲外と判定した場合、表示部１５にエラー表示をする、あるいは登録禁止するといった処理を行うとよい。これにより、体に負担のかかる無理なダイエットなどを抑制することができる。
【００８３】
図３（Ｇ）に示す日内目標増減量データ４５は、標体重増減量を目標達成期間で除算した値が設定されている。この日内目標増減量データ４５により、目標どおりに体重の増減が進んでいるか否かを１日単位で確認することや、その日の夜の目標体重を算出することができる。
【００８４】
図４は、体重体組成計３の制御部１８が実行する動作を示すフローチャートである。  
制御部１８は、利用者による電源ＯＮを受けて起動し（ステップＳ１）、上面カバー部３５（図１参照）に乗った利用者の体重を荷重検知部３３により測定する（ステップＳ２）。このとき、制御部１８は、体重測定部３０に設けられている電極部３６と表示操作部１０に設けられている電極部２１を通じて、インピーダンス検知部２０（図２参照）による体組成の測定も実行する。
【００８５】
制御部１８は、記憶・分析処理を実行し（ステップＳ３）、電源をＯＦＦして（ステップＳ４）、処理を終了する。
【００８６】
図５は、体重体組成計３の制御部１８が実行する記憶・分析処理の動作を示すフローチャートである。  
制御部１８は、前述のステップＳ２で体重測定した日時である現在日時を計時部１３から取得し、現在日時が朝時間に該当するか否か判定する（ステップＳ２１）。この実施例では、午前４時から午前１１時５９分までを朝時間とし、それ以外の時間である午後１２時から翌朝３時５９分までを夜時間としている。
【００８７】
朝時間であれば（ステップＳ２１：Ｙｅｓ）、制御部１８は、記憶部１２を参照して本日の朝体重が既に記憶されているか否か確認する（ステップＳ２２）。この確認は、例えば体重と共に測定日時を記憶する構成にしてこの測定日時から朝体重か否かを判定する、体重と共に朝体重か否かを示す朝体重フラグを記憶する構成にしてこの朝体重フラグを参照して判定する、あるいは、朝体重を格納する記憶部１２のアドレスを定めておきこのアドレスに記憶されている体重を朝体重とするなど、適宜の方法によって実行するとよい。
【００８８】
朝体重が記憶されていなければ（ステップＳ２２：Ｙｅｓ）、制御部１８は、ステップＳ２で測定した体重を朝体重として記憶部１２に記憶する。このとき、測定日時も共に記憶する。なお、記憶した体重が朝体重か否かを示す朝体重フラグも共に記憶してもよく、また朝体重として記憶する記憶部１２のアドレスを定めておいてこのアドレスに記憶してもよい。
【００８９】
制御部１８は、夜体重の目標を算出する（ステップＳ２４）。この目標の算出は、朝体重として記憶部１２に記憶した測定体重と、記憶部１２に記憶されている標準日内変動量データ４１および日内目標増減量データ４５とを読み出し、これらに基づいて実行する。目標としては、１日の体重変動量を何グラム程度にするかを示す目標日内変動量、あるいは夜体重を何キロ程度にするかを示す目標夜体重を求める。
【００９０】
目標日内変動量は、図３（Ｂ）の標準日内変動量に図３（Ｇ）の日内目標増減量を加算することで求めることができる。  
目標夜体重は、朝体重に図３（Ｂ）の標準日内変動量と図３（Ｇ）の日内目標増減量を加算することで求めることができる。
【００９１】
制御部１８は、図６（Ａ）に示すように、算出した夜体重の目標と、ステップＳ２で測定した測定体重とを含む朝測定時表示画面Ａを表示部１５に表示する（ステップＳ２５）。この朝測定時表示画面Ａは、朝体重であることを示す朝体重タイトル表示６１と、朝体重の測定値を示す測定体重表示６２と、夜体重の目標値を示す目標表示６３と、夜体重の目標値であることを示す目標タイトル表示６４とを有している。この例では、夜体重の目標として目標夜体重を表示している。
【００９２】
ステップＳ２２で記憶部１２に本日の朝体重が記憶されていた場合（ステップＳ２２：Ｎｏ）、制御部１８は、本日の朝体重の１回目の測定から所定時間内か否かを判定する（ステップＳ２６）。この所定時間は、例えば３０分や１時間など、仮に運動しても体重にそれほど影響が出ない程度の時間に設定すると良い
所定時間内であれば（ステップＳ２６：Ｙｅｓ）、本日の朝体重内で最軽量の測定値か否かを判定する（ステップＳ２７）。これは、例えば本日の朝体重として記憶部１２に記憶されている朝体重データとステップＳ２での測定体重データとを比較して判定できる。
【００９３】
最軽量の測定値であれば（ステップＳ２７：Ｙｅｓ）、記憶部１２に記憶されている前回値の朝体重データをステップＳ２で測定した測定体重データに更新して上書き記憶する（ステップＳ２８）。ここで軽いほうの体重測定値が朝体重として記憶されるようにするのは、例えば起床直後に体重測定し、すぐに用便して再測定した場合に、軽い方の体重を採用することで、一日の最低体重を朝体重として基準にするためである。これにより、基準となる朝体重を安定させることができると共に、一定時間に限ることで運動等によって朝体重が本来より低い状態で登録されることを防止できる。
【００９４】
このようにして朝体重を更新したのち、制御部１８は、上述したステップＳ２４〜Ｓ２５を実行する。
【００９５】
ステップＳ２６で本日の最初の朝体重の測定時刻から所定時間が経過していた場合（ステップＳ２６：Ｎｏ）、あるいは再測定した測定体重が最軽量でなかった場合（ステップＳ２７：Ｎｏ）、制御部１８は、図６（Ｂ）に示す測定体重表示画面Ｂを表示部１５に表示する（ステップＳ２９）。  
測定体重表示画面Ｂには、測定体重を表示していることを示す測定体重タイトル表示７１と、測定体重を表示する測定体重表示７２とが表示されている。
【００９６】
ステップＳ２１で朝時間ではなかった（夜時間であった）と判断された場合(ステップＳ２１：Ｎｏ)、制御部１８は、当日の夜体重データが記憶部１２に記憶されているか否かを確認する（ステップＳ３０）。
【００９７】
夜体重データが記憶されていなければ（ステップＳ３０：Ｙｅｓ）、制御部１８は、ステップＳ２で取得した測定体重を夜体重として記憶部１２に新たに記憶する（ステップＳ３１）。夜体重データが記憶されていれば（ステップＳ３０：Ｎｏ）、制御部１８は、記憶部１２に記憶している夜体重をステップＳ２で取得した測定体重に更新して上書き記憶する（ステップＳ３２）。これにより、就寝前の最後の測定体重を夜体重として記憶することを確実にしており、夜体重を安定化させている。
【００９８】
制御部１８は、記憶部１２を参照し、達成度を算出する（ステップＳ３３）。この達成度は、例えば夜体重から朝体重を減算した当日体重変動量から、標準日内変動量を減算し、さらに日内目標増減量を減算し、この値がプラスかマイナスか、あるいはどの程度プラスかマイナスかによって算出できる。
【００９９】
目標達成していた場合（ステップＳ３４：Ｙｅｓ）、制御部１８は、図６（Ｃ）に示す目標達成結果画面Ｃを表示部１５に表示する（ステップＳ３５）。  
この目標達成結果画面Ｃは、夜体重であることを示す夜体重タイトル表示８１と、夜体重の測定値を示す測定体重表示８２と、目標夜体重と実際の夜体重との差分体重を示す差分表示８３と、目標を達成したか否かを示す目標達成結果表示８４とを有している。この例では、目標夜体重よりも０．３ｋｇ軽かったこと、目標を達成したことを差分表示８３および目標達成結果表示８４により示している。
【０１００】
目標達成していなかった場合（ステップＳ３４：Ｎｏ）、制御部１８は、図６（Ｄ）に示す目標達成結果画面Ｄを表示部１５に表示する（ステップＳ３６）。  
この目標達成結果画面Ｄは、目標達成結果画面Ｃと同一項目を表示するため、同一項目に同一符号を付してその詳細な説明を省略する。図示の例では、目標夜体重よりも０．２ｋｇ重かったこと、目標未達成であったことを差分表示８３および目標達成結果表示８４により示している。
【０１０１】
以上の構成および動作により、利用者は、日内の体重変動をどの程度に留めれば良いかを示す日内目標を確認することができ、この目標達成に向けて日内の体重変動の管理を計画的に行える。従って、例えばダイエットする場合、一日単位という非常に短期間でダイエットが順調に進んでいるか否かを判断することができる。
【０１０２】
特に、標準日内変動量を、図７（Ａ）に示すように、夜体重から朝体重を減算して就寝中体重変動量を算出し、複数日分の就寝中体重変動量の平均値を算出することで、実際の体重増減量に基づいて標準日内変動量を定めることができる。その上、この算出方法を用いることで、体重が増加傾向であるか減少傾向であるかに関わらず正しい標準日内変動量を定めることができる。すなわち、就寝中の体重変動は基礎代謝による変動のみとなるため、体重の増減に関係なく安定した日内変動量を得ることができる。
【０１０３】
また、人の体重は、図７（Ｂ）に示すように、朝から夜にかけて増加し、夜から朝にかけて減少する。これに対して、朝に測定した朝体重から、夜体重までの増加量をどの程度に抑えれば良いか目標を知ることで、利用者は、１日単位で体重の増減を管理することができる。すなわち、従来であれば夜に測定した体重が朝に測定した体重より増加した場合に、実際は体重が減少傾向にある場合でも、利用者は体重が増加したと認識するしかなかった。しかし、上述したように日内変動を加味して夜体重の目標を明示することで、夜体重が朝体重より増加していても、翌朝測定すれば朝体重が減少するはずの状態であれば、体重が減少傾向であることを利用者が知ることができる。
【０１０４】
また、朝体重は、所定時間内の再測定時に体重減少していればその減少した体重測定値に更新できるため、用便後の体重にして安定化させることができる。すなわち、日によって朝体重の測定が用便の前後で異なっていれば朝体重にばらつきが出るが、できる限り用便後の体重測定値を朝体重として採用することで、朝体重のばらつきを抑制することができる。
【０１０５】
また、夜体重は、朝体重とする時間外に測定した体重測定値を採用し、しかも再測定がある毎に最新の体重測定値を夜体重とするため、利用者が特別な意識をせずとも就寝に最も近い時点での体重測定値を採用することができる。従って、夜体重を安定して精度よく取得することができる。
【０１０６】
なお、上述の実施形態では、体重体組成計３が全ての演算を行ったが、サーバ５が各種演算や出力を行う構成にしてもよい。
【０１０７】
この場合、体重体組成計３は、ステップＳ３でサーバ５へ体重測定値を測定日時とともにサーバ５へ送信する構成にすればよい。そして、サーバ５の制御部５２は、体重体組成計３から体重測定値および測定日時を受け取ると、朝体重や夜体重を含む体重測定値を体重体組成計３から取得し、ステップＳ２１〜Ｓ３６の処理を実行し、記憶は記憶部５５で行い、表示は表示部５４で行う構成にすればよい。
【０１０８】
この場合、サーバ５の制御部５２は、ステップＳ２５，Ｓ２９，Ｓ３５，Ｓ３６で、表示部５４の画面に表示する情報を体重体組成計３に送信する構成にしてもよい。体重体組成計３は、この情報を受信して、朝測定時表示画面Ａ、測定体重表示画面Ｂ、目標達成結果画面Ｃ，Ｄのいずれかを表示部１５に表示する構成にしても良い。  
この場合でも、一日の体重増減の目標を計算することができ、利用者などに通知することができる。またこのようにサーバ５を用いる場合は、例えばインストラクターなどが確認し、利用者にアドバイスするといった利用も可能になる。
【０１０９】
また、ステップＳ１とステップＳ２の間で利用者に操作部１４で朝／夜ボタンを選択入力させる構成にしてもよい。この場合は、入力によって朝体重の測定か夜体重の測定かを判別できる。このため、昼夜逆転の生活をしている利用者であっても利用できる。
【０１１０】
このように構成した場合、朝／夜ボタンが押下されなければ目標などを表示せずに体重だけを表示するなど、朝／夜ボタンの押下の有無によって表示内容を異ならせるとよい。これにより、朝／夜ボタンの押し忘れを防止することができる。
【０１１１】
また、朝測定時表示画面Ａ、測定体重表示画面Ｂ、目標達成結果画面Ｃ、目標達成結果画面Ｄに表示する内容は、上述した例に限らず、様々にすることができる。例えば、朝測定時表示画面Ａには、目標表示６３に目標の夜体重を表示したが、夜体重と朝体重の差分を目標値として表示する構成にしてもよい。
【０１１２】
また、目標達成結果画面Ｃ，Ｄは、差分表示８３と目標達成結果表示８４により目標達成できたか否かを表示したが、これに限らずグラフ表示によって目標ラインを超えているか否かを図示する、あるいは目標達成マークと目標不達成マークのどちらかを表示するなど、適宜の表示にすることができる。
【０１１３】
また、表示タイミングについても、朝の測定体重と目標値との両方を同時表示し、夜の測定体重と目標達成結果を同時表示することに限らず、様々なタイミングとすることができる。例えば、体重測定完了時点で測定体重を表示し、その後に所定時間経過や利用者が上面カバー部３５から降りる等のタイミングで目標表示や目標達成結果の表示に切り替える構成にしてもよい。この場合でも、朝の測定で一日の目標を確認でき、夜の測定で目標達成したか否かの結果を確認できる。
【０１１４】
この発明の構成と、上述の実施形態との対応において、
この発明の体重管理装は、実施形態の体重体組成計３またはサーバ５に対応し、
以下同様に、
記憶手段は、記憶部１２または記憶部５５に対応し、
身体情報取得手段は、記憶部１２から読み出す制御部１８または記憶部５５から読み出す制御部５２に対応し、
出力手段および表示手段は、表示部１５または表示部５４に対応し、
演算手段は、制御部１８または制御部５２に対応し、
標準日内変動値取得手段は、ステップＳ２４で標準日内変動量を読み出す制御部１８または制御部５２に対応し、
インピーダンス取得手段は、インピーダンス検知部２０に対応し、
体重取得手段は、荷重検知部３３または通信部５１に対応し、
標準日内変動値は、標準日内変動量データ４１に対応し、
長期目標増減量は、長期目標増減量データ４３に対応し、
目標日数は、目標達成期間データ４４に対応し、
日内目標増減量は、日内目標増減量データ４５に対応し、
日内目標値は、目標表示６３に示す夜体重の目標値に対応し、
判定結果は、目標達成結果表示８４に表示する結果に対応し、
起床側体重測定値更新処理は、ステップＳ２６〜Ｓ２８に対応し、
就寝側体重測定値決定処理は、ステップＳ３０〜Ｓ３２に対応し、
目標達成判定処理は、ステップＳ３４に対応し、
第１タイミングは、朝時間に対応し、
第２タイミングは、夜時間に対応し、
起床側体重測定値は、朝体重に対応し、
就寝側体重測定値は、夜体重に対応し、
身体情報は、性別、年齢、身長、体重に対応するが、
この発明は、上述の実施形態の構成のみに限定されるものではなく、多くの実施の形態を得ることができる。
【産業上の利用可能性】
【０１１５】
この発明は、生体の体重を管理する分野に利用することができ、人に限らず動物の体重管理にも利用可能である。
【符号の説明】
【０１１６】
３…体重体組成計、５…サーバ、１２…記憶部、１５…表示部、１８…制御部、２０…インピーダンス検知部、３３…荷重検知部、４１…標準日内変動量データ、４３…長期目標増減量データ、４４…目標達成期間データ、４５…日内目標増減量データ、５１…通信部、５２…制御部、５４…表示部、５５…記憶部、６３…目標表示、８４…目標達成結果表示
【図１】
2010181377.tif 000003
【図２】
2010181377.tif 000004
【図３】
2010181377.tif 000005
【図４】
2010181377.tif 000006
【図５】
2010181377.tif 000007
【図６】
2010181377.tif 000008
【図７】
2010181377.tif 000009